(57)【特許請求の範囲】
【請求項１】
車両のリアウインドウを遮蔽するシェード装置であって、
前記リアウインドウを遮蔽可能なシェードと、
前記リアウインドウの床側に配設され、前記シェードを引出収納可能に巻き取る巻取装置と、
前記シェードの引出側端部に取り付けられた長尺形状の引出部材と、
前記リアウインドウの天井側縁部の付近の車両天井に配設され、前記引出部材を前記シェードが引き出された状態で保持可能な引出保持機構部材と、
一端が前記引出部材に取り付けられ、前記引出保持機構部材を通して他端が車両前方側に配置されたワイヤーと、
を備え、
前記引出保持機構部材は、
前記引出部材に取り付けられた前記ワイヤーを挿通可能な貫通孔形状に形成された第１のワイヤー挿通孔部が形成され、前記ワイヤー他端の引っ張り操作により移動される前記引出部材によって押動されるスライダ部と、
一方が開口した筺状に形成され、前記スライダ部を、前記引出部材の移動方向である開口と底部とを結ぶ奥行方向に沿わせて移動可能に支持する支持基部と、
前記スライダ部に連結され、前記スライダ部の押動によって前記引出部材を保持可能な保持姿勢をとり、さらに前記スライダ部の押動によって前記引出部材の保持を解除する保持解除姿勢をとるように姿勢変更可能な保持部とを含み、
前記支持基部は、その底部において奥行方向に前記ワイヤーを貫通する形態で、且つ、前記支持基部の奥行方向において前記スライダ部の前記第１のワイヤー挿通孔部に重複する位置に形成された第２のワイヤー挿通孔部を有する、シェード装置。
【発明の詳細な説明】
【技術分野】
【０００１】
本発明は、自動車等の車両に搭載されるシェード装置に関する。
【背景技術】
【０００２】
特許文献１には、自動車の窓ガラスを遮蔽する装置において、電動機を用いない簡易な構成でロールブラインドを遠隔操作によって収納する技術が開示されている。より具体的には、特許文献１に記載の装置は、自動車のリアウインドウを遮蔽可能なロールブラインドと、ロールブラインドを巻き取る巻取シャフトと、ロールブラインドを引出状態に維持可能なロック機構と、伝達部を通じてロック機構のロックを解除可能な操作部とを備えている。そして、この装置は、運転席の近くに配設した操作部を操作して、リアウインドウを遮蔽する引出状態のロールブラインドを、遠隔操作によって収納できるように構成されている。
【先行技術文献】
【特許文献】
【０００３】
【特許文献１】独国特許出願公開第１９８０６７３６号明細書
【発明の概要】
【発明が解決しようとする課題】
【０００４】
しかしながら、特許文献１に記載の装置では、引出状態のシェード（ロールブラインド）を遠隔操作によって収納することはできるものの、収納状態のシェードを遠隔操作によって引き出すことはできない。
【０００５】
そこで、本発明は、簡易な構成で、シェードの引出収納動作を遠隔操作によって行うことを目的とする。
【課題を解決するための手段】
【０００６】
第１の態様は、車両のリアウインドウを遮蔽するシェード装置であって、前記リアウインドウを遮蔽可能なシェードと、前記リアウインドウの床側に配設され、前記シェードを引出収納可能に巻き取る巻取装置と、前記シェードの引出側端部に取り付けられた長尺形状の引出部材と、前記リアウインドウの天井側縁部の付近の車両天井に配設され、前記引出部材を前記シェードが引き出された状態で保持可能な引出保持機構部材と、一端が前記引出部材に取り付けられ、前記引出保持機構部材を通して他端が車両前方側に配置されたワイヤーとを備える。
【０００８】
また、前記引出保持機構部材は、前記引出部材に取り付けられた前記ワイヤーを挿通可能な貫通孔形状に形成された第１のワイヤー挿通孔部が形成され、前記ワイヤー他端の引っ張り操作により移動される前記引出部材によって押動されるスライダ部と、一方が開口した筺状に形成され、前記スライダ部を、前記引出部材の移動方向である開口と底部とを結ぶ奥行方向に沿わせて移動可能に支持する支持基部と、前記スライダ部に連結され、前記スライダ部の押動によって前記引出部材を保持可能な保持姿勢をとり、さらに前記スライダ部の押動によって前記引出部材の保持を解除する保持解除姿勢をとるように姿勢変更可能な保持部とを含み、前記支持基部は、その底部において奥行方向に前記ワイヤーを貫通する形態で、且つ、前記支持基部の奥行方向において前記スライダ部の前記第１のワイヤー挿通孔部に重複する位置に形成された第２のワイヤー挿通孔部を有する。
【発明の効果】
【００１３】
第１の態様に係るシェード装置によると、シェードの引出側端部に取り付けられた引出部材に取り付けられたワイヤーを操作することにより、シェードを巻取装置に対して引出収納することができる。また、シェードが引き出された状態で、引出保持機構部によって引出部材を保持することにより、シェードを引き出した状態を維持することができる。これにより、電動機を用いない簡易な構成で、シェードの引出収納動作を遠隔操作によって行うことができる。
【００１５】
また、第１の態様に係るシェード装置によると、引出保持機構部材は、ワイヤーの引っ張り操作により移動される引出部材によって押動されるスライダ部と、スライダ部を、引出部材の移動方向に移動可能に支持する支持基部と、スライダ部に連結され、スライダ部の押動によって引出部材を保持可能な保持姿勢をとり、さらにスライダ部の押動によって引出部材の保持を解除する保持解除姿勢をとるように姿勢変更可能な保持部とを含むように構成されている。このため、ワイヤーを引っ張るだけで引出部材を保持、保持解除することができ、より簡単にシェードの引出状態を維持すると共に収納操作することができる。
【図面の簡単な説明】
【００２０】
【図１】シェード収納状態におけるシェード装置を示す側面図である。
【図２】シェード引出状態におけるシェード装置を示す側面図である。
【図３】シェード収納状態におけるシェード装置を示す正面図である。
【図４】シェード引出状態におけるシェード装置を示す正面図である。
【図５】巻取装置の側面図である。
【図６】ワイヤーの引出位置を示す図である。
【図７】保持解除状態の引出保持機構部を示す側面図である。
【図８】保持状態の引出保持機構部を示す側面図である。
【図９】カム部を示す図である。
【図１０】引出保持機構部の動作を示す図である。
【図１１】引出保持機構部の動作を示す図である。
【図１２】引出保持機構部の動作を示す図である。
【図１３】引出保持機構部の動作を示す図である。
【図１４】引出保持機構部の動作を示す図である。
【図１５】引出保持機構部の動作を示す図である。
【図１６】変形例に係る引出保持機構部を示す図である。
【図１７】変形例に係る引出保持機構部を示す図である。
【図１８】ワイヤーの変形例を示す図である。
【発明を実施するための形態】
【００２１】
以下、実施形態に係るシェード装置１０について説明する。シェード装置１０は、車両のウインドウ１２を遮蔽するための装置である（図１〜図４参照）。
【００２２】
＜ウインドウ＞
説明の便宜上、シェード装置１０を適用するウインドウ１２について説明しておく。ここでは、ウインドウ１２は、自動車における車室の後端に設けられるリアウインドウである。このウインドウ１２は、上側に短辺を有すると共に下側に長辺を有する台形状に形成されているものとする。もっとも、ウインドウ１２は、リアウインドウ以外のウインドウであってもよいし、矩形状等の台形状以外の形状であってもよいことは言うまでもない。
【００２３】
ここでは、シェード装置１０は、ウインドウ１２の床側に配設される。より具体的には、ウインドウ１２の床側には、リアパッケージトレイ、バックドアトリム等の合成樹脂により形成された内装部材１４（ここではリアパッケージトレイ）が設けられている。また、この内装部材１４には、内側から車室内に後述するシェード２０を引き出すために、ウインドウ１２の床側縁部に沿って形成されたスリット部１５が形成されている。そして、シェード装置１０は、内装部材１４の内側に配設され、スリット部１５を通じてシェード２０を引き出して該シェード２０によりウインドウ１２を遮蔽する。もっとも、シェード装置１０は、内装部材１４の他に、金属パネルの内側等に配設されてもよい。
【００２４】
スリット部１５は、シェード２０及び後述する引出部材４０を通過可能な幅寸法及び長さ寸法に設定されている。ここでは、スリット部１５の長さ寸法は、ウインドウ１２の最大幅寸法と同じかそれより大きい寸法に設定されている。
【００２５】
＜シェード装置＞
本シェード装置１０は、シェード２０と、巻取装置３０と、引出部材４０と、ワイヤー４５と、引出保持機構部５０とを備える。概略的には、シェード装置１０は、巻取装置３０に対して引出収納可能に巻き取られるシェード２０を、該シェード２０に取り付けられた引出部材４０を移動操作することにより引き出してウインドウ１２を遮蔽することが可能に構成されている。
【００２６】
ここでは、シェード２０は、ウインドウ１２に沿って床側から天井側に向けて引き出される。そして、シェード２０が引出収納される方向を引出収納方向と称し、その向きを引出側、収納側と称する。
【００２７】
＜シェード＞
シェード２０は、ウインドウ１２を遮蔽する部材である（図４参照）。このシェード２０は、布材、メッシュ状の布材、樹脂シート等を裁断、縫製等して、ウインドウ１２を遮蔽可能な大きさ及び形状に形成されている。ここでは、シェード２０は引出側端部に短辺を有すると共に収納側端部に長辺を有する台形状に形成されている。
【００２８】
もっとも、シェード２０は、遮蔽対象であるウインドウ１２の形状に対応した形状に形成されていればよく、上記台形状以外にも矩形等の種々の形状に形成されていてよい。
【００２９】
＜巻取装置＞
上記シェード２０は、巻取装置３０に取り付けられている。巻取装置３０は、巻取シャフト３２と、回転支持部３４と、図示省略の巻取付勢部とを備えている（図５参照）。そして、巻取装置３０は、シェード２０を引出収納方向に沿って引出収納可能に巻き取るように構成されている。
【００３０】
巻取シャフト３２は、長尺円筒状に形成された部材であり、回転支持部３４により、中心軸周りに相対回転可能に支持されている。この巻取シャフト３２の外周面には、その軸方向に沿ってシェード２０の収納側端部が固定されている。また、回転支持部３４は、巻取シャフト３２の両端部をそれぞれ中心軸周りに相対回転可能に支持する一対の支持片を有している。
【００３１】
また、巻取シャフト３２は、巻取付勢部により、回転支持部３４に対してシェード２０の巻取方向に付勢されている。巻取付勢部は、例えばコイルバネであり、一端部が巻取シャフト３２の内部に固定され、他端部が回転支持部３４に固定されている。図５では、巻取付勢部の巻取付勢方向を矢印で示している。そして、シェード２０は、巻取付勢部による巻取力より大きい引出力が作用しない状態で当該巻取力により巻取シャフト３２に巻き取られ、巻取力より大きい引出力が作用すると巻取シャフト３２から引き出される。
【００３２】
また、ここでは、巻取装置３０は、固定基部８０により車両に固定されている。より具体的には、回転支持部３４が固定基部８０に固定され、固定基部８０が車両の金属パネル、フレーム又は内装部材等に固定されている。この固定基部８０は、金属板を打抜きプレス等して形成された部材を組み合わせて形成されてもよいし、合成樹脂材料を射出成型又は押出成形等して形成された部材を組み合わせて形成されてもよい。
【００３３】
＜引出部材＞
シェード２０には、引出側端部に沿って長尺形状の引出部材４０が取り付けられている。この引出部材４０は、本体部４２と、ワイヤー取付部４４とを含んでいる（図４参照）。
【００３４】
本体部４２は、シェード２０の引出側端部に取り付けられる部分であり、長尺棒状に形成された部分である。この本体部４２は、シェード２０の引出側端部と同じかそれより大きい長手寸法に設定されている。
【００３５】
ワイヤー取付部４４は、後述するワイヤー４５が取り付けられる部分である。このワイヤー取付部４４は、本体部４２の長手方向中途部から、該長手方向に直交する向き（ここでは引出側）に突出する形状に形成されている。引出部材４０の移動操作時における姿勢の安定性の観点から言うと、ワイヤー取付部４４は、本体部４２（引出部材４０）の中間部に設けられ、ワイヤー４５が引出部材４０の中間部に取り付けられるようにされていることが好ましい。また、ワイヤー取付部４４には、ワイヤー４５を通すための貫通孔部が形成されている。
【００３６】
そして、この引出部材４０を引出収納方向に沿って移動操作することにより、シェード２０を巻取装置３０に対して引出、収納することができる。シェード２０が巻き取られて内装部材１４内に退避した状態を収納状態、シェード２０が引き出されてウインドウ１２を遮蔽した状態を引出状態と称する。
【００３７】
上述した固定基部８０は、シェード２０の収納状態において、後述する引出部材４０を支持可能に形成されている。例えば、固定基部８０は、引出部材４０に対して凹凸嵌合可能な形状に形成された嵌合支持部８２と、引出部材４０を載置状に支持可能な載置支持部８４とを備える構成を採用できる。なお、引出部材４０自体も、嵌合支持部８２に対して凹凸嵌合可能な凹凸部分を有しているとよい。
【００３８】
＜ワイヤー＞
ワイヤー４５は、引出部材４０をシェード２０の引出側へ移動操作するための部分である。このワイヤー４５は、一端部が引出部材４０（ここでは長手方向中間部）に取り付けられている。ここでは、ワイヤー４５の一端部は、ワイヤー取付部４４に対して、貫通孔部に通す形態で固定されている。
【００３９】
また、ワイヤー４５は、自動車の後方から前方に向けて配索されている。そして、ワイヤー４５は、天井の内装部材であるルーフライナー１６の内側を通して配索され、他端部が引っ張られることにより引出部材４０の移動操作を行う。ここでは、ワイヤー４５は、車両の前後方向において１列目の座席と２列目の座席との間の位置で且つ車両の幅方向において運転席９２１と助手席９２２との間(好ましくは車幅方向中間)の位置から車室内に引き出されている（図６参照）。例えば、図１、図２に示すように、ワイヤー４５は、１列目の座席９２と２列目の座席９４との間で天井に配設されるルームランプ等が設けられるルーフコンソール１８から引き出されるとよい。また、ワイヤー４５の他端部には、引っ張り操作用の取手部４７が設けられていてもよい。
【００４０】
また、ワイヤー４５は、図１、図２に示すように、ルーフライナー１６の内側に１つ又は複数（ここでは１つ）の経路規制部１７により経路規制されて配索されているとよい。経路規制部１７は、例えば、車両の前後方向に沿った溝状又は孔状に形成されているとよい。好ましくは、経路規制部１７は、ルーフコンソール１８を通じてルーフライナー１６内から車室内へ引き出される手前の箇所において設けられているとよい。
【００４１】
このワイヤー４５は、金属線（複数の金属線を撚り合わせたものを含む）、金属線を合成樹脂コーティングした或いは合成樹脂チューブで覆った線材、合成樹脂線等を採用するとよい。少なくとも、ワイヤー４５は、引出部材４０を、巻取装置３０の巻取力に逆らって引出側に移動操作可能な程度の引張強度を有していることが好ましい。
【００４２】
また、ワイヤー４５は、ワイヤー案内部によって、引出保持機構部５０が引出部材４０を保持する位置を通る経路に案内されている。このワイヤー案内部は、後述するスライダ部５２のワイヤー挿通孔部５５を含む部分である。
【００４３】
＜引出保持機構部＞
引出保持機構部５０は、引出部材４０を、シェード２０が引き出された状態で保持する部分である。すなわち、引出保持機構部５０により引出部材４０を保持することにより、シェード２０を引出状態に維持することができる。
【００４４】
この引出保持機構部５０は、ウインドウ１２の天井側縁部の付近に配設されている。引出保持機構部５０は、一部がルーフライナー１６の内側に配設されると共に他の部分がルーフライナー１６から車室内に露出するように配設されてもよいし、全体が車室内に露出していてもよい。
【００４５】
引出保持機構部５０は、スライダ部５２と、支持基部６２と、進出付勢部６６と、リンク６８と、一対の保持部７２と、開付勢部７４とを備えている（図７、図８参照）。概略的には、引出保持機構部５０は、引出部材４０を引出側に移動させることによりスライダ部５２が押動され、引出部材４０によりスライダ部５２が支持基部６２に対してシェード２０の引出側に押し込まれるたびに、一対の保持部７２を保持姿勢と保持解除姿勢とで姿勢変更させるように構成されている。
【００４６】
スライダ部５２は、移動操作される引出部材４０により押動される部分である。このスライダ部５２は、引出部材４０の移動経路上に配設されている。すなわち、スライダ部５２は、引出部材４０が引き出される途中の位置で該引出部材４０に対して当接する。スライダ部５２は、全体として略直方体形状に形成されている。そして、スライダ部５２は、保持部連結部５３と、受け凹部５４と、ワイヤー挿通孔部５５と、カム部５６とを備えている。
【００４７】
スライダ部５２には、一対の保持部７２が連結されている。保持部連結部５３は、保持部７２が取り付けられる部分である。この保持部連結部５３は、スライダ部５２の先端部のうちの対向する一対の縁部にそれぞれ設けられている。そして、この一対の保持部連結部５３に対して、一対の保持部７２がそれぞれ姿勢変更可能に連結される。ここでは、保持部連結部５３には、回転軸部が前記一対の縁部に沿う姿勢で設けられている。より具体的には、保持部連結部５３の回転軸部は、スライダ部５２を押動する引出部材４０の長手方向に沿った姿勢で設けられる。
【００４８】
一対の保持部７２は、先端部から側方に突出する突出部を有した略Ｌ字形状に形成されている。また、一対の保持部７２は、突出部を向かい合わせる形態で、基端部が保持部連結部５３の一対の回転軸部にそれぞれ軸支され、スライダ部５２に対して相対回転可能に連結されている。すなわち、一対の保持部７２は、各先端部を接離するように、保持姿勢と保持解除姿勢とで姿勢変更可能である。ここで、保持姿勢とは、一対の保持部７２の先端部同士が近接して、引出部材４０を一対の保持部７２の間に挟んで保持可能な姿勢である。また、保持解除姿勢とは、一対の保持部７２の先端部同士が離間して引出部材４０が各先端部の間を通り抜け可能となり、引出部材４０を保持解除する姿勢である。
【００４９】
また、一対の保持部７２は、一対の開付勢部７４により、それぞれ先端部同士が離間する向きに付勢されている。ここでは、開付勢部７４として、ねじりコイルばねが採用されている。すなわち、開付勢部７４は、保持部連結部５３の回転軸部の外周に配設され、保持部７２をスライダ部５２に対して回転軸部周りに付勢している。そして、一対の保持部７２に対して、先端部同士が近接する向きに各開付勢部７４の付勢力より強い外力が作用すると、一対の保持部７２は引出部材４０を把持可能な保持姿勢となる。
【００５０】
受け凹部５４は、スライダ部５２を押動する引出部材４０のワイヤー取付部４４を受ける部分であり、該ワイヤー取付部４４を、少なくともシェード２０の厚さ方向に移動規制可能に形成されている。この受け凹部５４は、ワイヤー取付部４４（或いはその先端側部分）を、内側に配設可能に形成されている。より具体的には、受け凹部５４は、ワイヤー取付部４４の外部形状に沿った凹形状に形成されている。すなわち、受け凹部５４は、一対の保持部７２同士を結ぶ方向において、中間部に向けて徐々に深くなる形状に形成され、該中間部を挟む両側部に斜面を有している。また、受け凹部５４は、ワイヤー取付部４４（或いはその先端側部分）より大きく（ここでは僅かに大きく）設定されている。
【００５１】
そして、引出部材４０によりスライダ部５２が押動される際に、受け凹部５４にワイヤー取付部４４が進入すると、該ワイヤー取付部４４が受け凹部５４の斜面に当接することにより、引出部材４０が一対の保持部７２の間の位置に案内される。
【００５２】
上述したように、本装置では、ワイヤー案内部により、ワイヤー４５を、引出保持機構部５０が引出部材４０を保持する位置を通る経路に案内する。ここでは、引出保持機構部５０により、ワイヤー４５を前記位置を通る経路に案内するように構成されている。そして、ワイヤー案内部は、ワイヤー挿通孔部５５を含んでいる。
【００５３】
ワイヤー挿通孔部５５は、引出部材４０に取り付けられたワイヤー４５を挿通可能な孔部である。より具体的には、ワイヤー挿通孔部５５は、スライダ部５２の先端側から基端側に貫通する形状に形成されている。ここでは、ワイヤー挿通孔部５５は、先端側において、受け凹部５４の内側で開口している。
【００５４】
また、ワイヤー挿通孔部５５は、ワイヤー４５の直径より大きい（ここでは僅かに大きい）直径の断面視円形の孔状に形成されている。そして、ワイヤー挿通孔部５５は、ワイヤー取付部４４が受け凹部５４に進入するまでの間、引出部材４０から延びるワイヤー４５を、シェード２０の厚さ方向及び引出部材４０の長手方向に移動規制する。また、ここでは、ワイヤー挿通孔部５５は、貫通方向に直交する断面視において、スライダ部５２の略中心に形成されている。すなわち、ワイヤー挿通孔部５５は、引出部材４０を、一対の保持部７２の間の位置に案内する。
【００５５】
カム部５６は、スライダ部５２の一側面（一対の保持部７２を結ぶ方向に沿った側面）において、溝状に形成されている（図７、図８参照）。このカム部５６は、一端部が支持基部６２の内面に連結されたリンク６８の他端部を案内する部分である。カム部５６の詳細な形状については後で詳述する。
【００５６】
リンク６８は、長尺棒状に形成され、一端部が支持基部６２の内側面に対して直交する軸周りに回転可能に連結されている。リンク６８の他端部には、スライダ部５２のカム部５６内に突出してその内側で移動可能な凸状のカムフォロア部６９が設けられている。このカムフォロア部６９は、略円柱状に突出している。
【００５７】
支持基部６２は、スライダ部５２を、引出部材４０の移動方向（引出収納方向）に移動可能に支持する部分である。より具体的には、支持基部６２は、一方が開口した筐状に形成されている。そして、支持基部６２は、開口を通じて内側にスライダ部５２が配設され、該スライダ部５２が開口と底部とを結ぶ奥行方向に沿わせて移動可能となるように形成されている。なお、スライダ部５２は、支持基部６２に対して、先端部と基端部とを結ぶ方向が奥行方向に沿う姿勢で配設されている。
【００５８】
ここでは、支持基部６２は、略直方体状の内部空間を有する形状に形成されている。より具体的には、支持基部６２の内部空間には、スライダ部５２が奥行方向に移動可能に配設されると共に、進出付勢部６６及びリンク６８が配設されている。また、支持基部６２は、保持姿勢の一対の保持部７２を内側に配設可能である。換言すると、一対の保持部７２は、保持解除姿勢のままでは支持基部６２の内側に配設不能である。
【００５９】
進出付勢部６６は、支持基部６２の奥行方向に沿って支持基部６２の底部とスライダ部５２との間に配設されている。この進出付勢部６６は、圧縮状態で配設され、支持基部６２に対してスライダ部５２を進出させる向きに付勢している。進出付勢部６６により進出側に付勢されるスライダ部５２は、リンク６８によって支持基部６２からの脱落を規制されている。
【００６０】
また、支持基部６２は、ワイヤー挿通孔部６４と、一対の延出部６５とを有している。ワイヤー挿通孔部６４は、スライダ部５２のワイヤー挿通孔部５５に挿通されるワイヤー４５が挿通される部分である。このワイヤー挿通孔部６４は、支持基部６２の底部に奥行方向に貫通する形態で形成されている。より具体的には、ワイヤー挿通孔部６４は、支持基部６２の奥行方向において、スライダ部５２のワイヤー挿通孔部５５に重複する位置に設けられている。
【００６１】
一対の延出部６５は、支持基部６２の開口縁部のうちの対向する２辺が延出して構成されている。より具体的には、一対の延出部６５は、支持基部６２に配設されるスライダ部５２に連結された一対の保持部７２を結ぶ方向において対向する位置に設けられている（図７、図８参照）。この一対の延出部６５は、一対の保持部７２を閉操作するための部分である。すなわち、一対の保持部７２は、一対の開付勢部７４によってそれぞれ開方向に付勢されているため、閉方向に外力が作用しない状態では保持解除姿勢に維持される。この状態は、一対の保持部７２の基端部が一対の延出部６５より前方に位置するまでスライダ部５２が支持基部６２に対して進出した状態である。一方、前記状態からスライダ部５２が退避移動して、保持解除姿勢の一対の保持部７２の基端部が一対の延出部６５に当接すると、延出部６５により保持部７２に対して閉方向の力が作用する。これにより、一対の保持部７２は、基端部が支持基部６２の内側に進入しつつ、保持解除姿勢から保持姿勢に姿勢変更されていく。
【００６２】
この支持基部６２は、車両に固定可能に形成されている。より具体的には、支持基部６２は、開口部をシェード２０の収納側に向ける姿勢で配設可能に構成されている。また、ここでは、支持基部６２は、車両の幅方向において中間の位置に配設される。
【００６３】
支持基部６２は、例えば図７に示すように、ネジ止め用の固定部６３を底部側端部に有し、この固定部６３に形成された貫通孔部を通じて車両にネジ止めされることにより固定されるとよい。もっとも、固定形態は、ネジ止めに限らず、その他種々の固定形態を採用することができ、その場合には固定部６３の代わりに別の固定用の部分が設けられるとよい。支持基部６２の固定箇所としては、天井側の外装パネル、ルーフライナー１６等が挙げられる。
【００６４】
上述したように、引出保持機構部５０は、スライダ部５２が支持基部６２に対して引出側に押し込まれるたびに引出部材４０を保持、保持解除するように構成されている。すなわち、引出保持機構部５０は、スライダ部５２を、一対の保持部７２が保持姿勢となるように支持基部６２に対して押し込まれた退避位置と、一対の保持部７２が保持解除姿勢となるように支持基部６２に対して開口から飛び出た進出位置とに維持可能に構成されている。この引出保持機構部５０の機能は、カム部５６と、進出付勢部６６と、リンク６８とによって実現される。
【００６５】
カム部５６は、ハートカム形状を採用している。すなわち、カム部５６は略ハート形の溝状に形成されている。概略的には、カム部５６は、略ハート形の外周面５７と内周面５８とを有し、外周面５７の各頂点と内周面５８の各頂点とがスライダ部５２の移動方向に対して直交する方向（一対の保持部７２を結ぶ方向）にずれた形状を成している（図９参照）。以下、カム部５６のより具体的な形状を説明する。
【００６６】
ここでは、説明の便宜上、外周面５７と内周面５８について、ハート形の下端の頂点を第１の頂点５７１、５８１として、時計回りに第２の頂点５７２、５８２、第３の頂点５７３、５８３、第４の頂点５７４、５８４と称する。
【００６７】
なお、進出付勢部６６によってスライダ部５２が支持基部６２に対して進出側に付勢されているため、スライダ部５２が押動されない状態では、リンク６８のカムフォロア部６９は、カム部５６内においてスライダ部５２の基端側に押し当てられている。より具体的には、スライダ部５２が押動されない状態では、カムフォロア部６９は、第１の頂点５７１又は第３の頂点５８３に押し当てられている。
【００６８】
第１の頂点５８１は、第１の頂点５７１に対して、一対の保持部７２を結ぶ方向における一方側（以下カム部５６の説明において単に一方側）の位置に設けられている。すなわち、第１の頂点５８１は、第１の頂点５７１の内側に配設されているカムフォロア部６９の中心軸より一方側に位置している。そして、スライダ部５２が支持基部６２内に押し込まれると、カムフォロア部６９は、第１の頂点５８１の一対の保持部７２を結ぶ方向における他方側（以下カム部５６の説明において単に他方側）の斜面に当接しつつ、相対的にスライダ部５２の先端側に移動される。
【００６９】
第２の頂点５７２の他方側の外周面は、第２の頂点５７２に対して他方側且つスライダ部５２の基端側から近接する斜面状に形成されている。すなわち、カムフォロア部６９が第１の頂点５７１の内側に位置する状態からスライダ部５２が押し込まれると、カムフォロア部６９は、内周面５８の第１の頂点５８１の他方側の斜面に沿って他方側に移動した後、外周面５７の第２の頂点５７２の他方側の斜面に沿って一方側に移動する。そして、カムフォロア部６９は、第２の頂点５７２の内側まで移動する。なお、カムフォロア部６９は、第２の頂点５７２の内側に移動された状態では、第２の頂点５７２と第３の頂点５７３との間の斜面に当接して、それ以上一方側に移動することを規制される。
【００７０】
第２の頂点５８２は、第２の頂点５７２に対して他方側の位置に設けられている。すなわち、第２の頂点５８２は、第２の頂点５７２の内側に配設されているカムフォロア部６９の中心軸より他方側に位置している。そして、スライダ部５２に対する押し込み力が解除されると、カムフォロア部６９は、進出付勢部６６の付勢力により、第２の頂点５８２と第３の頂点５８３との間の斜面に沿って一方側に移動する。そして、カムフォロア部６９は、第３の頂点５８３の内側まで移動する。なお、カムフォロア部６９は、第３の頂点５８３の内側に移動された状態では、第３の頂点５８３と第４の頂点５８４との間の斜面に当接して、それ以上一方側に移動することを規制される。
【００７１】
第３の頂点５７３は、第３の頂点５８３に対して他方側の位置に設けられている。すなわち、第３の頂点５７３は、第３の頂点５８３の内側に配設されているカムフォロア部６９の中心軸より他方側に位置している。そして、スライダ部５２が支持基部６２内に押し込まれると、カムフォロア部６９は、第３の頂点５７３の一方側の斜面に沿って一方側に移動する。そして、カムフォロア部６９は、第４の頂点５７４の内側まで移動する。
【００７２】
第４の頂点５８４は、第４の頂点５７４に対して他方側の位置に設けられている。すなわち、第４の頂点５８４は、第４の頂点５７４の内側に配設されているカムフォロア部６９の中心軸より他方側に位置している。そして、スライダ部５２に対する押し込み力が解除されると、カムフォロア部６９は、進出付勢部６６の付勢力により、内周面の第４の頂点５８４の基端側の斜面に沿って一方側に移動した後、外周面の第４の頂点５７４の基端側の斜面に沿って他方側に移動する。そして、カムフォロア部６９は、第１の頂点５８１の内側まで移動する。
【００７３】
＜シェード装置の動作＞
次にシェード装置１０の動作について説明する。初期状態として、シェード２０が収納状態にあるものとし、シェード２０の引出動作から説明する。
【００７４】
まず、ルーフコンソール１８から引き出されているワイヤー４５の他端部（取手部４７）を引っ張る。これにより、引出部材４０が引出側に移動されて、シェード２０が引き出される。この際、ワイヤー４５は、引出保持機構部５０のワイヤー挿通孔部５５、６４により支持された状態で引っ張られるため、引出部材４０の長手方向及び一対の保持部７２を結ぶ方向における移動を規制される。
【００７５】
引出部材４０が保持解除姿勢の一対の保持部７２の間を通る位置まで引き出されると、ワイヤー取付部４４がスライダ部５２の受け凹部５４内に進入する。この際、ワイヤー取付部４４の外面が受け凹部５４の内面に当接して、引出部材４０が一対の保持部７２によって把持可能な位置に誘導される。また、この際、ワイヤー挿通孔部５５をワイヤー４５が通されることによっても、引出部材４０が誘導される。
【００７６】
ここからさらにワイヤー４５が引っ張られると、スライダ部５２が引出部材４０によって押動されて支持基部６２に対して押し込まれる。そして、スライダ部５２は、一対の保持部７２が延出部６５の内側縁部に当接し、さらに一対の保持部７２が一対の延出部６５の間に配設される位置まで、支持基部６２に対して押し込まれる。すなわち、一対の保持部７２は、スライダ部５２が支持基部６２に対して押し込まれるにつれて閉方向に押動され、保持解除姿勢から保持姿勢に姿勢変更される。これにより、引出部材４０は、一対の保持部７２の間に把持される。また、カム部５６内において、カムフォロア部６９は第１の頂点５７１の内側の位置から第２の頂点５７２の内側の位置に移動される。
【００７７】
そして、ワイヤー４５に対する引張力を解除すると、進出付勢部６６によりスライダ部５２が支持基部６２に対して押し戻される。この際、カム部５６内において、カムフォロア部６９は第２の頂点５７２の内側の位置から第３の頂点５８３の内側の位置に移動される。これにより、スライダ部５２は、リンク６８によって、一対の保持部７２が保持姿勢に維持される位置で支持基部６２に対して進出移動することを規制される。
【００７８】
次に、シェード２０の収納動作を説明する。
【００７９】
まず、ルーフコンソール１８から引き出されているワイヤー４５の他端部（取手部４７）を引っ張る。これにより、引出部材４０が引出側に移動され、スライダ部５２が押動されて支持基部６２に対して押し込まれる。すると、カムフォロア部６９は、カム部５６内において、第３の頂点５８３の内側の位置から第４の頂点５７４の内側の位置に移動される。
【００８０】
そして、ワイヤー４５に対する引出力を解除すると、進出付勢部６６によりスライダ部５２が支持基部６２に対して押し戻される。この際、カム部５６内において、カムフォロア部６９は、第４の頂点５７４の内側の位置から第１の頂点５７１の内側の位置に移動される。すると、スライダ部５２は、一対の保持部７２が延出部６５に非接触となる位置まで支持基部６２に対して（収納側に）進出移動する。これにより、一対の保持部７２は、保持姿勢から保持解除姿勢に姿勢変更される。
【００８１】
一対の保持部７２による保持が解除された引出部材４０は、巻取装置３０によるシェード２０を巻き取る力により収納側に移動される。この際、ワイヤー４５を操作して、シェード２０が勢いよく巻き取られて引出部材４０が他の部分に衝突することを抑制するとよい。
【００８２】
上記実施形態に係るシェード装置１０によると、シェード２０の引出側端部に取り付けられた引出部材４０に取り付けられたワイヤー４５を操作することにより、シェード２０を巻取装置３０に対して引出収納することができる。また、シェード２０が引き出された状態で、引出保持機構部５０によって引出部材４０を保持することにより、シェード２０を引き出した状態を維持することができる。これにより、電動機を用いない簡易な構成で、シェード２０の引出収納動作を遠隔操作によって行うことができる。
【００８３】
また、ワイヤー案内部としてのワイヤー挿通孔部５５により、ワイヤー４５を、引出保持機構部５０が引出部材４０を保持する位置を通る経路に案内するため、より確実に引出部材４０を引出保持機構部５０によって保持することができる。
【００８４】
また、引出保持機構部５０が、ワイヤー４５の引っ張り操作により移動される引出部材４０の移動経路上に配設されるスライダ部５２と、スライダ部５２を、引出部材４０の移動方向に移動可能に支持する支持基部６２とを含み、引出部材４０によりスライダ部５２がシェード２０の引出側に押し込まれるたびに、保持部７２を、引出部材４０を保持可能な保持姿勢と引出部材４０を保持解除する保持解除姿勢とで姿勢変更させるように構成されている。すなわち、ワイヤー４５を引っ張って引出部材４０を移動させ、引出部材４０によりスライダ部５２を支持基部６２に対して押し込むことにより引出部材４０を保持、保持解除することができる。このため、ワイヤー４５を引っ張るだけの操作で、より簡単にシェード２０の引出状態を維持すると共に、収納操作することができる。
【００８５】
また、スライダ部５２が、引出部材４０に取り付けられたワイヤー４５を挿通可能な挿通孔形状に形成されているワイヤー挿通孔部５５を含むため、シェード２０の引出収納の際に、ワイヤー挿通孔部５５の内周面によりワイヤー４５の長尺方向に直交する方向への移動を規制して、シェード２０の引出収納動作を安定させることができる。
【００８６】
また、引出部材４０のうちの引出側に突出してワイヤー４５が取り付けられるワイヤー取付部４４を、少なくともシェード２０の厚さ方向に移動規制可能な受け凹部５４を含むため、スライダ部５２に当接した状態で引出部材４０のシェード２０の厚さ方向における移動を抑制し、引出部材４０をより正確に保持部７２の保持位置に誘導することができる。
【００８７】
また、ワイヤー４５が、引出部材４０の長手方向中間部に取り付けられているため、ワイヤー４５を操作することにより引出部材４０を安定して移動させることができ、シェード２０を安定して引出収納することができる。
【００８８】
これまで、引出保持機構部５０について、一対の保持部７２が設けられている例で説明してきたが、これに限られるものではない。例えば、図１６、図１７に示す引出保持機構部１５０のように、保持部７２が１つだけ設けられた構成を採用することもできる。すなわち、上記実施形態の引出保持機構部５０において、一方の保持部７２が省略され、保持部７２が省略された側の延出部１６５が、他方の延出部６５より大きく延出する形状に形成されている。そして、引出部材４０が引出側に移動されてスライダ部５２を支持基部６２に対して押し込むと、保持部７２が保持解除姿勢から保持姿勢に姿勢変更し、引出部材４０を延出部１６５との間に挟み込んで保持する。さらに、引出保持機構部は、上記以外にも、一方の保持部だけで引出部材を保持可能な形状に形成されていてもよい。例えば、保持部が、フック状に形成されていてもよい。
【００８９】
また、引出保持機構部５０は、上述したハートカム機構を用いた構成に限られるものではない。例えば、引出保持機構部として、ノック式筆記具等に用いられる回転カム機構を用いた構成を採用してもよい。さらに、引出保持機構部は、カム機構を用いないで、ワイヤー４５の操作によって移動された引出部材４０を保持、保持解除する構成でもよい。
【００９０】
また、ワイヤー４５を、引出保持機構部５０が引出部材４０を保持する位置を通る経路に案内するワイヤー案内部（ここではワイヤー挿通孔部５５）が設けられる例で説明してきたが、ワイヤー案内部（経路規制部１７とは別構成）は省略されてもよい。ワイヤー案内部が省略される場合、引出部材４０を引出収納方向に沿って案内するガイドレールが設けられるなどして、引出部材４０を引出保持機構部５０によって保持可能な位置に案内するように構成されているとよい。
【００９１】
また、ワイヤー４５が引出部材４０の長手方向中間部に取り付けられている例で説明してきたが、ワイヤー４５の引出部材４０に対する取付態様はこれに限られるものではない。例えば、図１８に示すように、ワイヤー１４５は、長手方向中途部で二股になった形状に形成され、二股部分１４６の各端部が引出部材１４０の長手方向両端部に取り付けられていてもよい。引出部材１４０は、二股部分１４６の各端部が取り付けられるワイヤー取付部１４４が長手方向両端部に形成された形状が採用されるとよい。そして、この場合、引出保持機構部５０は、引出部材４０の長手方向両端部を保持可能に一対設けられているとよい。すなわち、一対の引出保持機構部５０は、それぞれ、ワイヤー１４５の二股部分１４６がワイヤー挿通孔部５５、６４に挿通され、引出側に移動される引出部材１４０の長手方向両端部を保持する。なお、車幅方向中間部において、引出保持機構部５０の前方側には、経路規制部１７が設けられ、ワイヤー１４５の二股部分１４６を合流させるとよい。
【００９２】
そして、上記構成を採用すると、ワイヤー１４５を操作することにより引出部材１４０をより安定して移動させることができ、シェード２０を安定して引出収納することができる。また、ワイヤー１４５をウインドウ１２の幅方向中央ではなく側縁部寄りの位置で配索できるため、見栄えが向上する。
【００９３】
また、これまで、シェード装置１０について、巻取装置３０をウインドウ１２の床側に配設して、シェード２０を床側から天井側に引き出す例で説明してきたが、これに限られるものではない。例えば、シェード装置は、巻取装置３０をウインドウ１２の天井側に配設して、シェード２０を天井側から床側に引き出すように構成されていてもよい。この場合、シェード装置は、ルーフライナー、ウインドウ１２の上方のバックドアトリム等の内装部材又は金属パネルの内側に配設されるとよい。また、ワイヤー４５を、床側に配設される内装部材の内側等に配索し、運転席９２１と助手席９２２のコンソールボックスの後端付近から車室内に引き出すとよい。
【００９４】
もっとも、ワイヤー４５の配索経路は、その他の経路に設定されてもよい。すなわち、ワイヤー４５は、天井又は床のうちの側端部寄りに配索されてもよい。
【００９５】
以上のように、シェード装置１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００９６】
１０  シェード装置
１２  ウインドウ
２０  シェード
３０  巻取装置
４０、１４０  引出部材
４５、１４５  ワイヤー
５０  引出保持機構部
５２  スライダ部
５４  受け凹部
６２  支持基部
７２  保持部
【図１】
0005985239.tif 000002
【図２】
0005985239.tif 000003
【図３】
0005985239.tif 000004
【図４】
0005985239.tif 000005
【図５】
0005985239.tif 000006
【図６】
0005985239.tif 000007
【図７】
0005985239.tif 000008
【図８】
0005985239.tif 000009
【図９】
0005985239.tif 000010
【図１０】
0005985239.tif 000011
【図１１】
0005985239.tif 000012
【図１２】
0005985239.tif 000013
【図１３】
0005985239.tif 000014
【図１４】
0005985239.tif 000015
【図１５】
0005985239.tif 000016
【図１６】
0005985239.tif 000017
【図１７】
0005985239.tif 000018
【図１８】
0005985239.tif 000019